(57)【特許請求の範囲】
【請求項１】
冷凍室及び冷蔵室にそれぞれ設置された蒸発器と、
前記冷凍室及び前記冷蔵室にそれぞれ設置され、前記蒸発器から発生した冷気を送風し、吸収された冷気を半径方向外側に吐出するファンと、
前記冷凍室及び前記冷蔵室の少なくとも一方に複数設置され、前記ファンにより送風される冷気を前記冷凍室及び前記冷蔵室に供給する冷気ダクトと、
前記ファンを内部に収容し、前記複数の冷気ダクトに連通する複数の案内管路を備えたガイドとを含み、
前記複数の案内管路の流入口が前記ファンの外周部を分けて囲むように配置されることを特徴とする冷蔵庫。
【請求項２】
前記ファンが、該ファンを駆動する外転型モータと一体に形成されることを特徴とする請求項１に記載の冷蔵庫。
【請求項３】
前記ファンがターボファンであることを特徴とする請求項２に記載の冷蔵庫。
【請求項４】
前記ファンが遠心ファンであることを特徴とする請求項１に記載の冷蔵庫。
【請求項５】
前記冷気ダクトが、前記冷凍室及び前記冷蔵室の少なくとも一方の側壁面に沿って設置されることを特徴とする請求項１に記載の冷蔵庫。
【請求項６】
前記冷気ダクトが、前記冷凍室及び前記冷蔵室の少なくとも一方の側壁面と後壁面が交わるエッジに沿って形成されることを特徴とする請求項１に記載の冷蔵庫。
【請求項７】
前記冷凍室及び前記冷蔵室の少なくとも一方の後壁面に沿って形成された冷気ダクトをさらに含むことを特徴とする請求項５に記載の冷蔵庫。
【請求項８】
前記冷気ダクトに前記冷凍室及び前記冷蔵室に冷気を吐出する複数の冷気流出口が形成され、前記冷凍室に設置された冷気ダクトの数と前記冷蔵室に設置された冷気ダクトの数とが異なることを特徴とする請求項１に記載の冷蔵庫。
【請求項９】
冷凍室及び冷蔵室にそれぞれ設置された蒸発器と、
前記蒸発器の上部にそれぞれ設置されて冷気を送風する遠心ファンと、
前記遠心ファンを駆動するモータと、
前記遠心ファンを内部に収容し、所定曲率を有する複数の案内管路を備えたガイドと、
前記案内管路に連結されて前記冷凍室及び前記冷蔵室にそれぞれ複数形成され、前記冷凍室及び前記冷蔵室に冷気を吐出する複数の冷気流出口を備えた冷気ダクトとを含み、
前記複数の案内管路の流入口が前記遠心ファンの外周部を分けて囲むように配置されることを特徴とする冷蔵庫。
【発明の詳細な説明】
【技術分野】
【０００１】
本発明は冷蔵庫に関し、より詳しくは、冷蔵室に流入する冷気の風量を冷凍室と独立して自由に調節できる冷蔵庫に関する。
【背景技術】
【０００２】
一般に、冷蔵庫は、その内部を分離壁により冷凍室と冷蔵室に区画して、冷凍室は飲食物などの貯蔵物を冷凍保管できるようにその内部温度を非常に低く維持し、冷蔵室は貯蔵物を冷凍することなくその新鮮さを維持する程度の低温に維持できるように構成された装置である。
【０００３】
以下、従来の冷蔵庫について図７を参照して説明する。
【０００４】
図７は従来の冷蔵庫の冷気流路の内部構成を示す断面図である。
【０００５】
図７に示すように、従来の冷蔵庫１０においては、分離壁４０により区画された冷凍室２０及び冷蔵室３０を循環して冷却作用することによって温度が高くなった冷気を流入させるための冷気流入口２４が、冷凍室２０の下部に形成される。
【０００６】
冷気流入口２４の上部には、冷却作用後に温度が高くなった冷気と熱交換するための蒸発器２３が設置され、蒸発器２３の上部には、蒸発器２３を経て低温になった冷気を送風するためのファン２２が設置される。
【０００７】
また、ファン２２の駆動により冷気が冷気ダクト２１を介して冷凍室２０及び冷蔵室３０に供給される際、冷気を冷凍室２０の冷気ダクト２１が備えられた方向に案内するためにガイド（図示せず）が提供され、ファン２２は前記ガイドの内部に設置される。
【０００８】
ここで、蒸発器２３とファン２２は冷凍室２０にのみ設置され、冷蔵室３０には別途の蒸発器とファンが設置されない。
【０００９】
一方、ファン２２の上部には、蒸発器２３を経て低温になった冷気を冷凍室２０に供給するための冷気ダクト２１が形成され、冷気ダクト２１には、冷気を冷凍室２０の内部に供給するための冷気流出口２１ａが複数形成される。ここで、冷気ダクト２１は、冷凍室２０の後壁（図示せず）に沿って１つ設置される。
【００１０】
また、冷蔵室３０には、冷凍室２０に設置された冷気ダクト２１に連通するように形成された冷気ダクト３１が、冷蔵室３０の後壁（図示せず）に沿って１つ設置され、冷蔵室３０の冷気ダクト３１には、冷気を冷蔵室３０の内部に供給するための冷気流出口３１ａが複数形成される。
【００１１】
以下、このような構成を有する従来の冷蔵庫１０において、冷凍室２０及び冷蔵室３０に冷気が伝わる過程を説明する。
【００１２】
従来の冷蔵庫１０を作動させると、圧縮機（図示せず）が作動して蒸発器２３が冷たくなり、冷却作用後に冷気流入口２４から流入した温度が高くなった冷気は、蒸発器２３との熱交換により低温になり、その低温の冷気は、モータ（図示せず）により駆動されるファン２２により冷凍室２０の内部を循環する。
【００１３】
すなわち、蒸発器２３の下部に備えられた冷気流入口２４から流入した温度が高くなった冷気は、蒸発器２３を経て熱交換により低温になり、その低温の冷気はオリフィス（図示せず）を介してファン２２に流入し、ファン２２により流出する冷気の大部分が冷凍室２０に設置された冷気ダクト２１及び冷気流出口２１ａを介して冷凍室２０に供給される。
【００１４】
一方、残りの冷気は、冷気連通口（図示せず）から冷蔵室３０に設置された冷気ダクト３１に流入し、冷気流出口３１ａから冷蔵室３０に供給される。
【００１５】
このような冷気の流動が繰り返されることによって冷凍室２０及び冷蔵室３０の内部が冷たくなる。
【発明の開示】
【発明が解決しようとする課題】
【００１６】
しかし、このような従来の冷蔵庫１０は、蒸発器２３とファン２２が冷凍室２０にのみ設置され、冷蔵室３０には別途の蒸発器とファンが設置されないため、冷蔵室３０に流入する冷気の風量を冷凍室２０と独立して自由に調節できないという問題があった。
【００１７】
一方、冷凍室２０の冷却と冷蔵室３０の冷却とが独立して行われず、冷凍室２０に供給された冷気の一部が冷蔵室３０に供給されるため、冷凍室２０と冷蔵室３０に収納される飲食物の匂いが互いに干渉するという問題があった。
【００１８】
また、蒸発器２３から発生した冷気は、ファン２２によりその一部が冷凍室２０に流入し、残りの一部が冷蔵室３０に流入するため、冷蔵室３０に流入する冷気の風量が冷凍室２０に流入する冷気の風量より少なくて冷蔵室３０の冷却速度が遅くなり、これにより、冷蔵庫１０内部の温度偏差が大きくなるという問題もあった。
【００１９】
一方、冷凍室２０又は冷蔵室３０のいずれか一方の庫内温度が設定温度を満足しないと、満足しない庫内温度を下げるために、設定温度を満足する方も圧縮機及びファンを作動しなければならないため、不要な電力消費が発生するという問題があった。
【００２０】
さらに、冷気ダクト２１、３１が冷凍室２０及び冷蔵室３０にそれぞれ１つずつ設置されており、冷気ダクト２１、３１に形成される冷気流出口２１ａ、３１ａの数及び大きさを多様化することができず、これにより、特別な目的の冷蔵ボックスを多数設置することができないという問題があった。
【００２１】
本発明は、このような従来技術の問題を解決するためになされたもので、冷蔵室に流入する冷気の風量を冷凍室と独立して自由に調節できる冷蔵庫を提供することを目的とする。
【００２２】
本発明の他の目的は、冷凍室の冷気の風量と冷蔵室の冷気の風量とを独立して調節することにより不要な電力消費を減らすことのできる冷蔵庫を提供することにある。
【００２３】
本発明のさらに他の目的は、冷蔵室の冷却速度が遅くなることを防止して冷蔵庫内部の温度偏差を減らすことのできる冷蔵庫を提供することにある。
【００２４】
本発明のさらに他の目的は、冷気流出口の数及び大きさを多様化できる冷蔵庫を提供することにある。
【課題を解決するための手段】
【００２５】
上記の目的を達成するために、本発明は、冷凍室及び冷蔵室にそれぞれ設置された蒸発器と、前記冷凍室及び前記冷蔵室にそれぞれ設置されて前記蒸発器から発生した冷気を送風するファンと、前記冷凍室及び前記冷蔵室の少なくとも一方に複数設置され、前記ファンにより送風される冷気を前記冷凍室及び前記冷蔵室に供給する冷気ダクトとを含む冷蔵庫を提供する。
【００２６】
このように構成することにより、前記冷凍室及び前記冷蔵室にそれぞれ設置された蒸発器及びファンにより、冷気を前記冷凍室及び前記冷蔵室の少なくとも一方に供給できるようになり、前記冷蔵室に流入する冷気の風量を前記冷凍室と独立して自由に調節することができ、前記冷蔵室に流入する冷気の風量が増加するので前記冷蔵庫内部の温度偏差を減らすことができる。
【００２７】
前記冷蔵庫は、前記複数の冷気ダクトに連通する複数の案内管路が備えられたガイドをさらに含み、前記ガイドの内部には前記ファンが設置される。これにより、前記複数の冷気ダクトの内部に冷気を円滑に送風することができ、冷気の流動損失を最小化すると共にファン効率を向上させることができる。
【００２８】
一方、前記ファンはモータと一体に形成することができる。特に、モータをファンのハブの内部に挿入してこれらモータとファンを一体に形成した外転型モータを使用することにより、これらモータとファンの設置に必要な空間を減らすことができ、前記冷蔵庫の庫内容積を増加させることができる。
【００２９】
また、前記ファンとしてはターボファンを使用することもできる。一般に冷蔵庫に使用される遠心ファンを使用するのでなく、ターボファンを使用することにより、ファン効率を向上させることができ、複数の冷気ダクトに冷気を均一に供給することができる。
【００３０】
また、ターボファンを使用する場合、別途のガイドを備えることなく、ターボファンを内部に収容するシュラウドのオリフィスの入口と冷気ダクトの入口だけで冷気流路を構成することができ、冷蔵庫の生産コストを低減することができる。
【００３１】
一方、前記冷気ダクトは、前記冷凍室及び前記冷蔵室の少なくとも一方の側壁面に沿って設置されることが効果的である。詳細には、前記冷凍室及び前記冷蔵室の少なくとも一方の側壁面と後壁面が交わるエッジに沿って前記冷気ダクトを複数設置することにより、前記冷凍室及び前記冷蔵室の内部に冷気を均一に流入させることができ、前記冷蔵庫の効率を向上させることができ、前記冷気ダクトの数が増加するので冷気流出口の数と大きさも多様化することができる。
【００３２】
また、前記冷気ダクトは、前記冷凍室及び前記冷蔵室の側壁面のエッジだけでなく、後壁面に設置することもできる。これは、前記冷気ダクトの数を増加させて前記冷気ダクトに形成される冷気流出口の数を増加させ、かつ大きさを多様化するためである。さらに、多様な目的の冷蔵ボックスを多数設置するためである。
【００３３】
そして、上記の目的を達成するために、本発明は、冷凍室及び冷蔵室にそれぞれ設置された蒸発器と、前記蒸発器の上部にそれぞれ設置されて冷気を送風するターボファンと、前記ターボファンのハブの内部に装着されて前記ターボファンを駆動する外転型モータと、前記ターボファンを内部に収容し、冷気を前記ターボファンに流入させるためのオリフィスが形成されたシュラウドと、前記シュラウドに連結されて前記冷凍室及び前記冷蔵室にそれぞれ複数形成され、前記冷凍室及び前記冷蔵室に冷気を吐出する複数の冷気流出口を備えた冷気ダクトとを含む冷蔵庫を提供する。
【００３４】
さらに、上記の目的を達成するために、本発明は、冷凍室及び冷蔵室にそれぞれ設置された蒸発器と、前記蒸発器の上部にそれぞれ設置されて冷気を送風する遠心ファンと、前記遠心ファンを駆動するモータと、前記遠心ファンを内部に収容し、所定曲率を有する複数の案内管路を備えたガイドと、前記案内管路に連結されて前記冷凍室及び前記冷蔵室にそれぞれ複数形成され、前記冷凍室及び前記冷蔵室に冷気を吐出する複数の冷気流出口を備えた冷気ダクトとを含む冷蔵庫を提供する。
【００３５】
前述したような本発明の目的と特徴は、後述する発明の詳細な説明及び図面によりさらに明確になるであろう。
【発明の効果】
【００３６】
本発明による冷蔵庫は、冷凍室とは別途に冷蔵室にも蒸発器及びファンを設置することにより、冷蔵室に流入する冷気の風量を冷凍室と独立して自由に調節して、冷蔵室の冷却速度を向上させることができるという効果がある。
【００３７】
また、本発明による冷蔵庫は、冷気ダクトを冷凍室及び冷蔵室にそれぞれ複数設置して冷凍室の冷気流路と冷蔵室の冷気流路とを分離することにより、冷凍室と冷蔵室に収納された飲食物の匂いが互いに干渉することを防止できるという効果がある。
【００３８】
さらに、本発明による冷蔵庫は、ファンを冷凍室及び冷蔵室にそれぞれ設置して庫内温度を満足する方のファンを停止させることにより、消費電力を低減できるという効果がある。
【００３９】
さらに、本発明による冷蔵庫は、冷蔵室の内部に流入する風量を増加させることができ、区域毎に均一な冷気を分配することにより冷蔵庫内部の温度偏差を減らすことができるという効果がある。
【００４０】
さらに、本発明による冷蔵庫は、複数の冷気ダクトを冷凍室及び冷蔵室のそれぞれに設置することにより、冷気流出口の数を増加させたり大きさを多様化することができ、多様な目的の冷蔵ボックスを多数設置できるという効果がある。
【発明を実施するための最良の形態】
【００４１】
以下、本発明による冷蔵庫の好ましい実施形態について添付図面を参照して詳細に説明する。
【００４２】
図１は本発明の第１実施形態による冷蔵庫の冷気流路の構成を示す断面図であり、図２Ａは図１のIII −III 線に沿った縦断面図であり、図２Ｂは図２Ａに示す冷蔵庫の冷気流路の内部構成を示す断面図であり、図３は図１のIV−IV線に沿った横断面図であり、図４は本発明の第１実施形態による外転型モータとターボファンの結合関係を示す断面図であり、図５は本発明の第１実施形態による冷蔵庫のガイドの内部構成を示す断面図であり、図６は本発明の第２実施形態による冷蔵庫の冷凍室の冷気流路の内部構成を示す断面図である。
【００４３】
図１及び図２に示すように、本発明の第１実施形態による冷蔵庫１００は、分離壁４００により区画された冷凍室２００及び冷蔵室３００にそれぞれ設置されて冷気を発生する蒸発器２３０、３３０と、冷凍室２００及び冷蔵室３００にそれぞれ設置されて蒸発器２３０、３３０から発生した冷気を送風するファン２２０、３２０と、それぞれのファン２２０、３２０を収容するガイド２９０、３９０と、ファン２２０、３２０をそれぞれ駆動させるためのモータ２５０、３５０と、冷気を冷凍室２００に流入させるための冷凍室冷気ダクト２７０及び冷気を冷蔵室３００に流入させるための冷蔵室冷気ダクト３７０とを含む。
【００４４】
ここで、冷凍室２００及び冷蔵室３００は１つずつに限定されるものではなく、必要に応じてその数を多様に変化させることができる。この場合、蒸発器２３０、３３０は、冷凍室２００及び冷蔵室３００の数に応じてそれぞれ設置されることが好ましい。
【００４５】
冷凍室２００の冷気流路構造と冷蔵室３００の冷気流路構造とは同一であるので、説明の便宜上、以下、冷凍室２００の冷気流路構造について詳細に説明する。
【００４６】
冷凍室２００を循環して冷却作用することによって温度が高くなった冷気は冷気流入口２４０に流入し、その流入した冷気と熱交換してこれを低温の冷気にする蒸発器２３０の上部又は冷気の流動方向の上流側に冷気を送風するためのファン２２０が設置され、ファン２２０の一方の側にファン２２０を駆動させるためのモータ２５０が設置される。
【００４７】
ファン２２０は、複数のブレードが形成された遠心ファンから構成され、ファン２２０により送風される冷気を冷気ダクト２７０に案内するためのガイド２９０の内部に設置される。ここで、ガイド２９０は、冷気を冷凍室２００に供給するための冷気ダクト２７０に連通するように形成される。
【００４８】
図４に示すように、ファン２２０は、遠心ファンの代わりにターボファン２２１から構成することもできる。ターボファン２２１を使用した場合は、多くの風量を発生させて圧縮比を高めることができるので、ファン効率が向上する。
【００４９】
また、ターボファン２２１を使用した場合は、ガイド２９０を備えることなく冷気流路を構成できるという利点がある。すなわち、ターボファン２２１を内部に収容するシュラウド２６０に形成されたオリフィス２６１の入口と冷気ダクト２７０の入口だけで冷気流路を構成することができる。ここで、オリフィス２６１は、冷気を正確にファン２２０側に流入させる作用をする。
【００５０】
このように構成することにより、ファン２２０により送風される冷気を案内するガイド２９０を備えることなく、冷気入口であるオリフィス２６１の入口と冷気出口である冷気ダクト２７０の冷気流出口２７１だけで、冷気を冷気ダクト２７０に案内することができる。
【００５１】
ターボファン２２１を使用した場合、シュラウド２６０の一端は冷気ダクト２７０に連結される。
【００５２】
また、ターボファン２２１のハブ２２１ａの内部にモータ２５１を挿入して、ターボファン２２１とモータ２５１を一体に形成することにより、冷凍室２００の庫内容積を増加させることができる。
【００５３】
特に、回転子が固定子の外側に位置する外転型モータ２５１を使用した場合、外転型モータの高さが内転型モータの高さよりも相対的に低いので、ターボファン２２１のハブ２２１ａに挿入されても大きな空間を占めないため、庫内容積を増加させることができる。図４において点線の矢印は冷気の流れを示す。
【００５４】
一方、冷気ダクト２７０は複数設置されるが、図３に示すように、冷凍室２００の側壁面４００、４１０と後壁面１１０が交わるエッジに沿って複数設置することもでき、冷凍室２００の側壁面４１０に沿って複数設置することもできる。
【００５５】
冷気ダクト２７０には、冷気を冷凍室２００の内部に均一に供給するための複数の冷気流出口２７１が形成される。
【００５６】
ここで、冷気ダクト２７０は、冷凍室２００の左側壁面４１０に沿って形成される冷気ダクト２７０ａと、右側壁面４００（分離壁）に沿って形成される冷気ダクト２７０ｂとから構成される。
【００５７】
ガイド２９０には、複数の冷気ダクト２７０ｂ、２７０ａに連通する複数の案内管路２９１、２９２が形成される。
【００５８】
案内管路２９１、２９２は、複数の冷気ダクト２７０ｂ、２７０ａに連通しており、冷気の流動損失を防止して消費電力を低減し、ファン効率を向上できるように設計する。
【００５９】
図５に示すように、ガイド２９０は、ファン２２０の回転により送風される冷気をファン２２０の一方及び他方に分配し、各冷気ダクト２７０ａ、２７０ｂに移送できるように形成される。
【００６０】
ここで、ガイド２９０は、ファン２２０の回転中心を通る水平線から一方の所定角度に位置する第１開始点Ａからファン２２０の回転方向に所定曲率で延設されて、冷凍室２００の右側壁面４００に沿って形成された冷気ダクト２７０ｂに連通する第１案内管路２９１と、ファン２２０の回転中心を通る水平線から他方の所定角度に位置する第２開始点Ｂからファン２２０の回転方向に所定曲率で延設されて、冷凍室２００の左側壁面４１０に沿って形成された冷気ダクト２７０ａに連通する第２案内管路２９２とを含む。
【００６１】
第１案内管路２９１及び第２案内管路２９２は、蒸発器２３０の下部に設置された冷気流入口２４０から流入して蒸発器２３０との熱交換により低温になった冷気を、ファン２２０の駆動により、冷凍室２００の左側壁面４１０に沿って形成された冷気ダクト２７０ａ及び冷凍室２００の右側壁面４００に沿って形成された冷気ダクト２７０ｂに供給できるように、冷気ダクト２７０ａ、２７０ｂの一端に連通して設置される。
【００６２】
前述のように、冷気ダクト２７０ａ、２７０ｂを複数設置することにより、冷気ダクト２７０ａ、２７０ｂに形成される冷気流出口２７１、２８１の数、位置、又は大きさを多様化することができる。
【００６３】
また、ファン２２０の駆動により送風される冷気が第１案内管路２９１及び第２案内管路２９２を介してより円滑に流動できるように、第１案内管路２９１及び第２案内管路２９２は、ファン２２０の回転方向と対応する方向に所定曲率を有し、ガイド２９０と一体に形成されることが好ましい。
【００６４】
ここで、第１開始点Ａは、ファン２２０の回転中心を通る水平線からファン２２０の回転方向の反対方向に４５゜〜５５゜の地点に位置することが好ましく、第２開始点Ｂは、ファン２２０の回転中心を通る水平線からファン２２０の回転方向の反対方向に１５゜〜２５゜の地点に位置することが好ましい。
【００６５】
すなわち、第１開始点Ａと第２開始点Ｂとは、ファン２２０の回転中心を通る水平線を基準に反対側に位置する。
【００６６】
図５において、符号Ｗはファン２２０の回転方向を示し、θ１は第１開始点Ａとファン２２０の回転中心を通る水平線間の角度を示し、θ２は第２開始点Ｂとファン２２０の回転中心を通る水平線間の角度を示し、Ｄはファン２２０の直径を示し、ｄはガイド２９０とファン２２０間の最小間隙を示す。
【００６７】
案内管路２９１、２９２の各開始点Ａ、Ｂの角度によって冷気の流動損失が異なるが、冷気の流動損失が大きい場合は、同一の冷凍又は冷蔵能力を発揮するためにより多くの冷気を供給しなければならず、ファンをより多く駆動するため消費電力が増加する。
【００６８】
また、本発明の第１実施形態による冷蔵庫を構成するファン２２０とガイド２９０間の最小間隙ｄは、ファン２２０の直径Ｄの４％〜６％の範囲内になるように構成されることが好ましい。ファン２２０とガイド２９０間の間隙が小さ過ぎると冷気が円滑に送風されないため消費電力が増加し、ファン２２０とガイド２９０間の間隙が大き過ぎると適正な圧縮比を得ることができない。
【００６９】
一方、本発明の第２実施形態による冷蔵庫１００は、図６に示すように、冷凍室２００の後壁面１１０に沿って設置された冷気ダクト２７０ｃをさらに含む。
【００７０】
冷凍室２００の後壁面１１０に沿って設置された冷気ダクト２７０ｃに連通するように、ガイド２９０にも第３案内管路２９３が形成される。このように構成することにより、冷気流出口２７１の数及び大きさをさらに多様化することができる。
【００７１】
ここで、冷気ダクト２７０は、冷凍室２００の左右側壁面４１０、４００及び後壁面１１０に沿って設置できるだけでなく、必要な位置にさらに設置することもできる。
【００７２】
以下、前述した本発明の第２実施形態による冷蔵庫の作用を詳細に説明する。
【００７３】
ユーザが冷蔵庫に電源を接続すると、圧縮機（図示せず）が作動して蒸発器２３０が冷たくなる。このとき、蒸発器２３０の下部に形成された冷気流入口２４０から流入した温度が高くなった冷気は、蒸発器２３０との熱交換により低温になり、その低温の冷気はファン２２０に流入する。
【００７４】
ファン２２０はモータ２５０に連結されて駆動され、ファン２２０を通過した冷気は、ファン２２０の外部に設置されたガイド２９０の案内管路２９１、２９２を介して冷気ダクト２７０に案内される。
【００７５】
ここで、第１案内管路２９１を通過した冷気は、これに連通する冷凍室２００の右側壁面４００に沿って形成された冷気ダクト２７０ｂに流入し、第２案内管路２９２を通過した冷気は、これに連通する冷凍室２００の左側壁面４１０に沿って形成された冷気ダクト２７０ａに流入する。また、第３案内管路２９３を通過した冷気は、これに連通する冷凍室２００の後壁面１１０に沿って設置された冷気ダクト２７０ｃに流入する。
【００７６】
冷気ダクト２７０ａ、２７０ｂ、２７０ｃに流入した冷気は、それぞれの冷気ダクト２７０ａ、２７０ｂ、２７０ｃに形成された複数の冷気流出口２７１から吐出されて冷凍室２００の内部に均一に供給され、冷凍室２００に保管されている飲食物などを均一に冷凍させる。
【００７７】
以上、冷凍室２００の冷気流路構造について説明したが、冷蔵室３００の冷気流路構造も同様に構成することができる。ただし、冷凍室２００に形成される冷気ダクト２７０の数と冷蔵室３００に形成される冷気ダクト３７０の数とは異なる数にすることができる。
【００７８】
また、複数の冷気ダクト２７０は、冷凍室２００と冷蔵室３００の両方に設置することもでき、冷凍室２００又は冷蔵室３００のいずれか一方に設置することもできる。
【００７９】
以上、本発明は、図面に示す実施形態を参照して説明したが、これは例示にすぎず、当業者であれば、これから多様な変形及び他の実施形態が可能であることは自明である。従って、本発明の権利範囲は、添付した特許請求の範囲の技術的思想により決定されるべきである。
【図面の簡単な説明】
【００８０】
【図１】本発明の第１実施形態による冷蔵庫の冷気流路の構成を示す断面図である。
【図２Ａ】図１のIII −III 線に沿った縦断面図である。
【図２Ｂ】図２Ａに示す冷蔵庫の冷気流路の内部構成を示す正断面図である。
【図３】図１のIV−IV線に沿った横断面図である。
【図４】本発明の第１実施形態による外転型モータとターボファンの結合関係を示す断面図である。
【図５】本発明の第１実施形態による冷蔵庫のガイドの内部構成を示す断面図である。
【図６】本発明の第２実施形態による冷蔵庫の冷凍室の冷気流路の内部構成を示す断面図である。
【図７】従来の冷蔵庫の冷気流路の内部構成を示す断面図である。
【符号の説明】
【００８１】
１００    冷蔵庫
２００    冷凍室
２２０    ファン
２２１    ターボファン
２３０    蒸発器
２４０    冷気流入口
２５０    モータ
２６０    シュラウド
２６１    オリフィス
２７０    冷気ダクト
２７１    冷気流入口
２９０    ガイド
【図１】
0004741522.tif 000002
【図２Ａ】
0004741522.tif 000003
【図２Ｂ】
0004741522.tif 000004
【図３】
0004741522.tif 000005
【図４】
0004741522.tif 000006
【図５】
0004741522.tif 000007
【図６】
0004741522.tif 000008
【図７】
0004741522.tif 000009